(57)【要約】本発明はコンテンツの配布に関連し、特に、携帯電話のような携帯機器用の独自のプログラムを用いた販売促進のメッセージと画像の配布に関連する。本発明が目指している技術的成果は、ユーザーのコンテンツに対する慣れの可能性を上昇させ、携帯機器の便利さを維持する、そのようなコンテンツの配布方法の創造である。上述の技術的成果は、以下のやり方で達成される。モバイル機器上におけるコンテンツの配信および表示の方法は、販売促進や情報のメッセージの受取り、処理、表示に必要な、独自の外部プログラムの携帯機器へのインストールを包含し、プログラムのダウンロード源へのハイパーリンクを包含する返答ＳＭＳの後続の受取りを伴う、ＳＭＳ或いはＵＳＳＤメッセージのショートコードへの送信と、バルクＳＭＳと、必要なコンテンツを包含するウェブサイト内の、プログラムのダウンロード源、或いは、プログラムの手動インストールへのハイパーリンクの包含と、特定の携帯機器毎に対する適切なコンテンツの決定と、少なくとも、コンテンツプロバイダから、或いは、代理からの一つのコンテンツユニットの配信と、機器の低電力モード期間の、コンテンツの携帯機器のメモリ内への格納と、携帯機器の画面照明が点灯しているときの、視覚的認知の可能性を有するユーザーインターフェイスに対して前面表示での、携帯機器のメモリからの前記携帯機器の画面上でのコンテンツの表示と、ユーザーによる前記機器に対する、特定の外部からの影響に従った、携帯電話の画面からの進行中のコンテンツの削除と、を包含しながら、それに制限はされない方法を使用する。【選択図】図１
2013539264.tif 000002
【特許請求の範囲】
【請求項１】
外部プログラムのインストールと、
特定の携帯機器毎に対する適切なコンテンツの決定と、
少なくとも、コンテンツプロバイダから、或いは、代理からの一つのコンテンツユニットの配信と、
機器の省電力モード期間中の、携帯機器のメモリ内へのコンテンツの格納と、
携帯機器の画面照明が明るいときの、視覚的認知の可能なユーザーインターフェイスに対して前面表示での、携帯機器の前記画面上へのコンテンツの表示と、
ユーザーの前記機器に対する外部入力による、携帯電話の画面からの進行中のコンテンツの削除と、
を包含することを特徴とするモバイル機器上におけるコンテンツの配信および表示の方法。
【請求項２】
携帯機器のファンクションキー、および／または、そのようなタイプのコンテンツの管理のために特に割り当てられた活性マトリクスを有する前記画面の図形インターフェイスの領域、に対するアクションによって、前記機器のユーザーによる前記外部入力が行使されることを特徴とする請求項１に記載の方法。
【請求項３】
前記機器の画面上にコンテンツの表示期間中は、「電話に出る」および「緊急サービス通話」の機能は稼働モードであり、携帯機器の他の機能は無効にされることを特徴とする請求項１に記載の方法。
【請求項４】
前記コンテンツは「電話に出る」および「緊急サービス通話」機能の管理のためにユーザーのアクセスを可能にする前記ユーザーインターフェイスに対して前面表示で、前記携帯機器の画面上に表示され、一方で、管理用の携帯機器の他の機能は利用できないことを特徴とする請求項１に記載の方法。
【請求項５】
二つ以上のコンテンツユニットを前記メモリへダウンロードする場合、該当する各コンテンツユニットの前記携帯機器の画面上での表示は、所定のシークエンスに従って定期的に行われることを特徴とする請求項１に記載の方法。
【請求項６】
所定の交代アルゴリズムにしたがって、表示されるコンテンツが変化することを特徴とする請求項１に記載の方法。
【請求項７】
携帯電話、携帯情報端末（ＰＤＡ）、携帯ＧＰＳ装置、或いは、それらの任意の組合せを携帯機器として使用することを特徴とする請求項１に記載の方法。
【請求項８】
コンテンツが、広告、映画、歌、着メロ、スクリーンセーバー、ゲーム、ビデオ情報、オーディオ情報、ビデオ／オーディオ情報、画像メッセージ、メール、デジタルメッセージ、ソフトウェア・アプリケーション、マルチメディア、社会広告、世論調査、レビュー、天気情報、或いは、それらの組合せの形のメッセージを表現することを特徴とする請求項１に記載の方法。
【請求項９】
特定の携帯機器毎に対するコンテンツが、ユーザーへの質問の結果に従って決定されることを特徴とする請求項１に記載の方法。
【請求項１０】
特定の携帯機器毎に対する適切なコンテンツの決定が、サイコグラフィックス、生活スタイル、購入活動、携帯機器の特徴、ユーザーの示した優先傾向、ユーザーの検索結果、或いは、それらの組合せを包含するユーザーのパラメータに基いて規定されることを特徴とする請求項１に記載の方法。
【請求項１１】
前記携帯機器ユーザーによる、コンテンツと接続される動作の実行能力を包含し、当該動作が、当該コンテンツに関連するオブジェクト、或いは、当該コンテンツを受取ることができるオブジェクトへの電話による接触、および／または、任意のオブジェクトへのコンテンツの送信、および／または、当該コンテンツと関連するウェブサイトとの通信の確立、および／または、当該コンテンツに含まれる情報に基いた、ダウンロードされたファイルの受取り、および／または、当該コンテンツと関連するオブジェクトとの通信の確立、および／または、当該コンテンツと関連するか、或いは、当該コンテンツによって受取られる可能性のあるアプリケーションとの通信の確立であることを特徴とする請求項１に記載の方法。
【請求項１２】
当該コンテンツと関連するユーザーのアクションと関連するデータ、すなわち、当該コンテンツを受取る、ユーザーによる携帯機器のコンテンツに対する意見の収集を包含することを特徴とする請求項１に記載の方法。
【請求項１３】
ボーナスポイントを充当し、および／または、当該ユーザーに支払うことができ、当該ボーナスポイントは、通信サービスに対する同等の支払い、或いは、何か別の形態での商品、および／または、サービス、および／または、相当物に対する支払いに換算可能であることを特徴とする請求項１２に記載の方法。
【発明の詳細な説明】
【技術分野】
【０００１】
本発明はコンテンツの配布に関連し、特に、携帯電話のような携帯機器用の独自のプログラムを用いた販売促進のメッセージと画像の配布に関連する。
【背景技術】
【０００２】
ユーザーへの個人に向けた販売促進や情報のメッセージの配布方法が知られている。該配布方法は、販売促進や情報のメッセージの受取りのために、ユーザーの携帯電話に配布者の独自のプログラムをダウンロードするという原則に基づく。ユーザーへ販売促進や情報のメッセージを送る前には、ユーザーの関心のある分野の明確化が行われるべきであり、ユーザーの同意を得るべきである。そして、販売促進や情報のメッセージは携帯電話の画面上に表示される。（ロシア特許第２３４６４１３号、国際特許分類[Ｈ０４Ｗ４／１２]、２００６年）
【先行技術文献】
【特許文献】
【０００３】
【特許文献１】ロシア特許第２３４６４１３号
【発明の概要】
【発明が解決しようとする課題】
【０００４】
ランダムイベントが起きるまで、携帯電話の画面上の販売促進や情報のメッセージとの秩序立った接触が不可能であるように、既知の方法の不都合は、広告主にとって必要な宣伝活動量の送信能力を制限される、ということである。該イベントは着信或いは着ＳＭＳ／ＭＭＳメッセージの受取りであり、前記受取りの瞬間だけに、この販売促進や情報のメッセージは携帯電話の画面上に表示される。そしてまた、電話に出る前の着信の間のコンテンツへの接触（参照）の短い期間は、販売促進のメッセージの有効性に対して逆効果である。
【０００５】
本発明が目指している技術的成果は、ユーザーによるコンテンツの参照の機会を上昇させ、携帯機器の便利さを維持する、そのようなコンテンツの配布方法の創造である。
【課題を解決するための手段】
【０００６】
上述の技術的成果は、以下のやり方で達成される。
【０００７】
モバイル機器上におけるコンテンツの配信および表示の方法は、販売促進や情報のメッセージの受取り、処理、表示に必要な、独自の外部プログラムの携帯機器へのインストールを包含し、プログラムのダウンロード源へのハイパーリンクを包含する返答ＳＭＳの後続の受取りを伴う、ＳＭＳ或いはＵＳＳＤメッセージのショートコードへの送信と、バルクＳＭＳと、必要なコンテンツを包含するウェブサイト内の、プログラムのダウンロード源、或いは、プログラムの手動インストールへのハイパーリンクの包含と、特定の携帯機器毎に対する適切なコンテンツの決定と、少なくとも、コンテンツプロバイダから、或いは、代理からの一つのコンテンツユニットの配信と、機器の低電力モード期間の、コンテンツの携帯機器のメモリ内への格納と、携帯機器の画面照明が点灯しているときの、視覚的認知の可能性を有するユーザーインターフェイスに対して前面表示で、携帯機器のメモリからの携帯機器の前記画面上での表示と、ユーザーによる前記機器に対する、特定の外部入力に従った、携帯電話の画面からの進行中のコンテンツの削除と、を包含しながら、それに制限はされない方法を使用する。
【０００８】
携帯機器のファンクションキー、および／または、コンテンツの現在のタイプの管理のために特に割り当てられた活性マトリクスを有する前記画面の図形インターフェイスの領域、に対するアクションを手段として、前記機器のユーザーによる前記外部入力は行使される。
【０００９】
同時に、前記機器の画面上にコンテンツが存在する間は、「電話に出る」および「緊急サービス通話」の機能がアクティブ化し、携帯機器の他の機能は無効にされる。
【００１０】
一般に、コンテンツは「電話に出る」および「緊急サービス通話」の機能の管理へのユーザーのアクセスの能力を有する前記ユーザーインターフェイスに対して前面表示で、携帯機器の前記画面上に表示され、携帯機器の残りの機能は利用できない。コンテンツが前記携帯機器の画面上にある瞬間に着信を受取った場合は、発信者番号表示（ＣＬＩＰ）機能が当該コンテンツに対して前面表示で表示される。
【００１１】
前記ユーザーの前記進行中のコンテンツとの相互作用と、前記携帯画面装置の前記領域からの前記進行中のコンテンツの消去と、の後に、標準的な携帯機器の制御機能は、その用途にしたがって、再度利用可能になるだろう。
【００１２】
二つ以上のコンテンツユニットが前記機器のメモリに読み込まれているとき、前記携帯機器の画面上の次のコンテンツユニットの表示は、所定のシークエンスに従って定期的に行われる。加えて、表示されるコンテンツは、所定の交代アルゴリズムにしたがって変えられる。
【００１３】
携帯電話、携帯情報端末（ＰＤＡ）、携帯ＧＰＳ装置、或いは、それらの組合せ品は携帯機器として使用されてもよい。
【００１４】
前記コンテンツは、広告、映画、歌、着メロ、スクリーンセーバー、ゲーム、ビデオ情報、オーディオ情報、ビデオ／オーディオ情報、画像メッセージ、メール、デジタルメッセージ、ソフトウェア・アプリケーション、マルチメディア、社会広告、世論調査、レビュー、天気情報、或いは、それらの組合せの形のメッセージによって、表現されてもよい。
【００１５】
特定の携帯機器毎に対するコンテンツは、ユーザーへの質問の結果に基いて決定されてもよい。
【００１６】
この場合は、特定の携帯機器毎に対する適切なコンテンツの決定は、サイコグラフィックス、生活スタイル、購入活動、携帯機器の特徴、ユーザーの示した優先傾向、ユーザーの検索結果、或いは、それらの組合せを包含するユーザーのパラメータに基いて実行されてもよい。
【００１７】
本方法は、携帯機器のユーザーに、コンテンツに関連するアクションを行う実現性を与える。それらは、当該コンテンツに関連するオブジェクト、或いは、当該コンテンツを受取ることができるオブジェクトへの電話による接触、および／または、任意のオブジェクトへのコンテンツの送信、および／または、当該コンテンツと関連するウェブサイトとの通信の確立、および／または、当該コンテンツに含まれる情報に基いた、ダウンロードされたファイルの受取り、および／または、当該コンテンツと関連するオブジェクトとの通信の確立、および／または、当該コンテンツと関連するか、或いは、当該コンテンツによって受取られる可能性のあるアプリケーションとの通信の確立である。本方法はまた、当該コンテンツと関連するユーザーのアクションと関連するデータ、すなわち、当該コンテンツを受取る、携帯機器のユーザーによるコンテンツに対する意見の収集を確保する。
【００１８】
この場合は、ユーザーに入金する、および／または、報酬をあたえてもよく、当該報酬は、通信サービスに対する同等の支払い、或いは、何か別の形態での商品、および／または、サービス、および／または、現金同等物に対する支払いに換算可能である。
【図面の簡単な説明】
【００１９】
【図１】本方法を説明する略図であり、１はシステムサーバ、２は携帯機器、３は携帯電話サービスプロバイダのネットワーク、４はサーバデータ伝送処理管理装置、５はコンテンツ管理装置、６はサーバデータ保管装置、７はコンテンツ形成装置、８は携帯機器データ伝送処理管理装置、９はコンテンツ表示管理装置、１０：携帯機器データ保管装置、１１はインターフェイス装置、１２は支払いブロックとする。
【発明を実施するための形態】
【００２０】
モバイル機器上におけるコンテンツの配信および表示の方法は、以下のようなやり方で実現される。
【００２１】
リンクを使用して、プログラムダウンロードするためのウェブサイトを訪れた携帯機器ユーザーは、サーバ（１）データ伝送処理管理装置（４）へ転送され、該サーバデータ伝送処理管理装置はユーザーの携帯機器（２）に、コンテンツの表示を実装するプログラムを伝送する。接続数計算およびコンテンツの相互作用（例えば、リンクをたどる或いは呼び出す）数計算のアルゴリズムはコンテンツプロバイダによって指定され、サービスメッセージの発生はコンテンツ管理装置（５）へ転送される。プログラムが最初に着手するのは、システムログリクエストとして認定されることである。その一方で、ユーザーの認定は、当該ユーザーの選択した番号（ＣＴＮ）に基いて実行される。登録の間、そして恐らくは宣伝コンテンツとの相互作用のさらなる状況の間、当該ユーザーは質問を含む双方向性申請フォームへ転送される。例えば、ユーザーの個人的手掛かり（性別、年齢、結婚歴、資産レベル等）に関心を持てば、当該質問への回答は、当該ユーザーの興味をつかんだかもしれないようなコンテンツのみを当該ユーザーへ送信するようにさせるだろう。双方向性申請フォームの質問へのアクセスを受け入れている当該ユーザーは、彼／彼女の携帯機器の助けを借りて、前記申請フォームに提示されている質問に対する回答を作成し、データ伝送処理管理装置（８）を経由して、それらを前記システムに転送し、当該システムでは、その今のメッセージが前記申請フォームの質問に対する回答と認定され、前記データ保管装置（６）に送信される。それが起こるとき、当該ユーザーの前記システムへの登録が首尾よくなされたことが、前記データ保管装置（６）に登録され、当該登録は当該ユーザーの承認が当該コンテンツに受理されることを意味する。コンテンツ形成装置（７）から前記データ保管装置（６）に、区分特徴（例えば、女性専用、独身ユーザー専用、特定の電話メーカーのユーザー専用等）と、を有するコンテンツと表示状態（総閲覧数、表示の持続時間等）が入る。前記コンテンツ管理装置（５）において、これらのメッセージの区分特徴は、各ユーザーの区分特徴と比較され、（特徴が整合する）比較結果に基いて、前記表示状態を考慮して、ユーザー毎に、個人的に、そして、前記携帯機器（２）から受信する前記リクエストに基いて、コンテンツブロックが形成され、モバイル通信サービスプロバイダネットワーク（３）を経由して、前記携帯機器（２）に送信される。
【００２２】
前記携帯機器（２）は、コンテンツの受け取りを実行し、それをデータ保管装置（１０）に記録し、そして、メッセージ受取りの事実と、前記コンテンツ表示管理装置（９）内のコンテンツの提供のための条件を特徴付ける各パラメータを登録する。コンテンツ表示の開始のための信号として、システムによって決定された一式のイベントにおいて、前記インターフェイス装置（１１）は規定の      コンテンツを前記携帯機器の画面に表示する。前記イベントは、前記広告主によって設定された表示条件に従って、前記ユーザーに提供されるべきである。前記携帯機器の割り当てられたキーが押される、および／または、コンテンツとの相互作用を対象としたアクティブなマトリクスを有する画面領域の影響の瞬間まで、コンテンツは前記携帯機器の画面にとどまらなければならない。前期キーはコンテンツとの相互作用（例えば、「閉じる」、「リンクを開く」、或いは「呼び出す」）を対象とする。前記コンテンツ表示管理装置（９）は、前記ユーザーとコンテンツとの間の相互作用の事実を登録し、前記データ保管装置（１０）に同様の情報を記録する。各データ伝送処理管理装置（４および８）によって（例えば、モバイルサービスプロバイダネットワークの占有率と共に）設定される規定の時間に、前記コンテンツ表示管理装置（９）は、関連するコンテンツの総閲覧数およびコンテンツとの総相互作用数の指標からなるメッセージを作成し、そして、前記システムへの転送目的で、それを前記データ伝送処理管理装置（８）に転送する。
【００２３】
前記メッセージは前記システム内で、閲覧数と相互作用数の総量に関する情報と認定され、同様の処理の為にコンテンツ管理装置（５）に、記録のためにデータ保管装置（６）に転送される。総閲覧数と、前記コンテンツ管理装置（５）内のコンテンツとの相互作用の総量と種類と、の計算結果に従って、前記データは作成され、それに基いて、携帯機器のユーザーへのボーナスポイントの充当と、広告主との清算と、が実行される。
【００２４】
前記特許請求される方法とシステムの実現のための最良の選択肢は、唯一の可能な選択肢ではないが、ここまでに示されている。
【図１】
2013539264.tif 000003
【国際調査報告】
2013539264.tif 000004
2013539264.tif 000005